(57)【要約】【課題】建具周辺や建具自体を照らす照明手段の設置の容易化及び省スペース化を図ることができる建具を提供すること。【解決手段】建物の開口部に取り付けられる建具の上枠３の下面に、前記開口部から遠い側が低くなる段差１１を設け、該段差１１は、前記開口部から離れる方向に延びる取付部１２と、該取付部１２の先端側から下方に突出する突出部１３とを有し、前記取付部１３に照明手段１４を取り付けてあることを特徴としている。【選択図】図２
2019019614.tif 000002
【特許請求の範囲】
【請求項１】
建物の開口部に取り付けられる建具の上枠の下面に、前記開口部から遠い側が低くなる段差を設け、
該段差は、前記開口部から離れる方向に延びる取付部と、該取付部の先端側から下方に突出する突出部とを有し、
前記取付部に照明手段を取り付けてあることを特徴とする建具。
【請求項２】
前記照明手段における前記開口部側の側面を覆う目隠し手段を設けてある請求項１に記載の建具。
【請求項３】
前記取付部は、前記上枠において前記開口部の直上に位置する部分の下面よりも上方に位置している請求項１または２に記載の建具。
【発明の詳細な説明】
【技術分野】
【０００１】
本発明は、例えば、間接照明のための照明手段を組み込んだ建具に関する。
【背景技術】
【０００２】
従来、建具自体や建具周辺を照らそうとする場合、建具とは別に構成された照明ユニットを建具の上枠の前面に装着している（特許文献１，２）。
【先行技術文献】
【特許文献】
【０００３】
【特許文献１】特開２０１４−１３５１８１号公報
【特許文献２】特許第６００９９４５号公報
【発明の概要】
【発明が解決しようとする課題】
【０００４】
しかし、上記のように照明ユニットを建具と別体に構成してあると、現場で建具に照明ユニットを装着する施工に手間が掛かる上、照明ユニットと建具の上枠とに、相互を一体化するための機構を設ける必要が生じ、一体化した照明ユニット及び建具が全体として大型化するという問題がある。
【０００５】
本発明は上述の事柄に留意してなされたもので、その目的は、建具周辺や建具自体を照らす照明手段の設置の容易化及び省スペース化を図ることができる建具を提供することにある。
【課題を解決するための手段】
【０００６】
上記目的を達成するために、本発明に係る建具は、建物の開口部に取り付けられる建具の上枠の下面に、前記開口部から遠い側が低くなる段差を設け、該段差は、前記開口部から離れる方向に延びる取付部と、該取付部の先端側から下方に突出する突出部とを有し、前記取付部に照明手段を取り付けてある（請求項１）。
【０００７】
上記建具が、前記照明手段における前記開口部側の側面を覆う目隠し手段を有していてもよい（請求項２）。
【０００８】
上記建具において、前記取付部は、前記上枠において前記開口部の直上に位置する部分の下面よりも上方に位置していてもよい（請求項３）。
【発明の効果】
【０００９】
本願発明では、建具周辺や建具自体を照らす照明手段の設置の容易化及び省スペース化を図ることができる建具が得られる。
【００１０】
すなわち、本願の各請求項に係る発明の建具では、照明手段を建具と別体のユニットとして構成しておき、現場で建具に照明手段を装着するのではなく、予め上枠の取付部に照明手段を取り付けておくものであるため、それだけ現場における建具の設置が容易となる。
【００１１】
また、現場で建具に照明ユニットを装着する場合、その装着を容易にするための機構を設けておく必要があり、その機構が証明ユニットや建具を大型化する恐れがあるが、本発明の建具では、建具に照明手段を取り付けて一体化してある（上枠を折り上げ、その折り上げた部分に照明手段を組み込んだ）ことにより、上記のような大型化の恐れはなく、省スペース化を図ることが容易となる。
【００１２】
さらに、照明手段からの光によって建具の付属物が照射され、これらの視認性向上を図ることもできる上、戸体を開けたときには照明手段からの光が室内側にも入るため、その光によって室内に設けられた照明スイッチ等の視認性の向上を図ることも可能となる。
【００１３】
請求項２、３に係る発明の建具では、照明手段からの直接光が建具に近づいた人の目に入り難くすることができる。
【図面の簡単な説明】
【００１４】
【図１】（Ａ）及び（Ｂ）は、本発明の一実施の形態に係る建具の構成を概略的に示す内観図及び外観図である。
【図２】前記建具の上部の構成を概略的に示す縦断面図である。
【図３】前記建具の変形例の上部の構成を概略的に示す縦断面図である。
【発明を実施するための形態】
【００１５】
本発明の実施の形態について図面を参照しながら以下に説明する。
【００１６】
図１（Ａ）及び（Ｂ）に示す建具は、ホテルの客室扉である遮音扉として構成されたものであり、建物の開口部に取り付けられる枠体１と、この枠体１に蝶番（図示していない）を介して室内側に開閉可能に吊り込まれる戸体２とを具備している。
【００１７】
枠体１は、上枠３と、下枠４と、戸先側の縦枠５と、吊元側の縦枠６とにより、矩形に枠組みされる。
【００１８】
戸体２は、枠体１に対応させて矩形に組み立てられ、その戸先側には、ハンドル７、シリンダー錠（図示していない）、リーダー８、補助錠９が、また、中央部よりやや上方にはドアスコープ１０が設けられている。なお、戸体１は、例えばカードキーでリーダー８に所定の信号を読み取らせることにより、シリンダー錠を解錠するように構成された、所謂電気錠式のドアである。
【００１９】
そして、図２に示すように、上枠３の下面に、枠体１が取り付けられた建物の開口部を貫通する方向において開口部から遠い側が低くなる段差１１を設け、段差１１は、開口部（閉状態の戸体２）から離れる方向に延びる取付部１２と、取付部１２の先端側から下方に突出する突出部１３とを有し、取付部１２に照明手段（本例ではライン状に発光し、高さ及び奥行が１５ｍｍ程度の小型ＬＥＤ光源）１４を取り付けてある。この取付方法としては、ねじ止め等、適宜の手段を採用すればよい。なお、照明手段１４としては、例えば高さ及び奥行がそれぞれ４０ｍｍまでのものを用いることが考えられる。
【００２０】
ここで、突出部１３の上下方向の寸法Ｌ１３は、取付部１２の下面から照明手段１４の下面までの距離ｄの２倍以上である。これにより、照明手段１４からの直接光が、室外側から建具に近づいた人の目に入り難くすることができる。
【００２１】
また、照明手段１４における開口部側（閉状態の戸体２に向かう側）の側面を覆う目隠し手段としての目隠しプレート１５を設けてある。この目隠しプレート１５の上下方向の寸法Ｌ１５は、上記距離ｄの１．０〜２．０倍とするのが好ましい。なぜなら、寸法Ｌ１５を距離ｄの１．０倍未満とすると、戸体２を開けたときに照明手段１４からの直接光が室内側にいる人の目に入り易くなり、２．０倍超とすると、照明手段１４による戸体２等の照明効果が低下するからである。本例では、寸法Ｌ１５を距離ｄと略同じとしてある。
【００２２】
なお、図２において、１６は照明手段１４の電源接続コードを配線するための通線用穴、１７は上枠の前側に設けられたボード、１８は遮音ゴムである。
【００２３】
上記のように構成された本例の建具は、照明手段１４を建具と別体のユニットとして構成しておき、現場で建具に照明手段１４を装着するのではなく、予め上枠３の取付部１２に照明手段１４を取り付けておくものであるため、それだけ現場における建具の設置が容易となる。
【００２４】
また、現場で建具に照明ユニットを装着する場合、その装着を容易にするための機構を設けておく必要があり、その機構が証明ユニットや建具を大型化する恐れがあるが、本例の建具では、建具に照明手段１４を取り付けて一体化してある（上枠３を折り上げ、その折り上げた部分に照明手段１４を組み込んだ）ことにより、上記のような大型化の恐れはなく、省スペース化を図ることが容易となる。
【００２５】
さらに、照明手段１４からの光によって建具の付属物（例えば戸体２の面材、戸体２に設けられたサインやドアスコープ１０等）が照射され、これらの視認性向上を図ることもできる上、戸体２を開けたときには照明手段１４からの光が室内側にも入るため、その光によって室内に設けられた照明スイッチ等の視認性の向上を図ることも可能となる。
【００２６】
そして、本例の建具は、鋼製建具、木製建具のいずれであってもよく、建具の見込みや高さに特に制限はなく、汎用性を持たせることができ、天井高さや壁厚に制限のある狭い空間にも適用可能である。
【００２７】
なお、本発明は、上記の実施の形態に何ら限定されず、本発明の要旨を逸脱しない範囲において種々に変形して実施し得ることは勿論である。例えば、以下のような変形例を挙げることができる。
【００２８】
図２に示す例では戸体２を内開きとしてあるが、図３に示すように戸体２を外開きとしてもよい。この場合、図３に示すように、上枠３において戸体２の室外側に位置する部分を、戸体２の開閉を妨げないように折り上げ、その折り上げた部分に照明手段１４を組み込むようにすればよく、具体的には、上枠３に、戸体２の上端付近から上向きの延びる上向き部分１９を設け、この上向き部分１９の上端から前方（閉状態の戸体２から離間する方向）に向けて取付部１２を延ばし、取付部１２の先端から下方に向けて突出部１３を設ければよい。このとき、取付部１２は、上枠３において開口部の直上に位置する部分の下面（開口形成面２０）よりも上方に位置することになる。
【００２９】
この図３の例では、上向き部分１９が、照明手段１４における開口部側（閉状態の戸体２に向かう側）の側面を覆う目隠し手段としての機能を発揮するため、図２の例では設けてあった目隠しプレート１５の設置を省略することが可能となる。
【００３０】
そして、上向き部分１９を、図３に示すように、閉状態の戸体２の室外面２ａと同一平面上に位置するように構成し、かつ、上向き部分１９と戸体２の室外面２ａとに意匠の統一性を持たせておけば、その統一性により、室外側からみたときの戸体２に、実際よりも上方にまで延びているようなイメージを持たせることが可能となる。
【００３１】
図２、図３に示す例では、照明手段１４を室外側となる位置に設けているが、室内側となる位置に設けるようにしてもよい。
【００３２】
本発明の建具は、ホテルの客室扉としての遮音扉に限らず、他の室内扉や建物の出入り口に設けられる扉等にも適用可能である。また、戸体２は、開き戸に限らず、引戸等であってもよい。
【００３３】
照明手段１４の点滅制御、人感センサー連動等によって、人が照明手段１４にある程度近づいたときにのみ照明手段１４を点灯させるようにすれば、常時照明手段１４を点灯させる場合に比べ、省エネルギーを図ることができる。また、照明手段１４の点滅を、照明手段１４に対応する部屋の在空確認、使用可否等の認知・表示に利用することもできる。
【００３４】
なお、上記変形例どうしを適宜組み合わせてもよいことはいうまでもない。
【符号の説明】
【００３５】
１      枠体
２      戸体
２ａ    室外面
３      上枠
４      下枠
５      戸先側の縦枠
６      吊元側の縦枠
７      ハンドル
８      リーダー
９      補助錠
１０      ドアスコープ
１１      段差
１２      取付部
１３      突出部
１４      照明手段
１５      目隠しプレート
１６      通線用穴
１７      ボード
１８      遮音ゴム
１９      上向き部分
２０      下面
ｄ      取付部の下面から照明手段の下面までの距離
Ｌ１３  突出部の上下方向の寸法
Ｌ１５  目隠しプレートの上下方向の寸法
【図１】
2019019614.tif 000003
【図２】
2019019614.tif 000004
【図３】
2019019614.tif 000005